(57)【要約】【課題】安価で効率よく映像入力端子の切替動作を行う映像入力端子切替装置を提供することを目的とする。【解決手段】映像入力端子切替において、映像検出回路への映像入力信号を切替え判別を行うことで、複数の検出回路を用いることなく判別する。また使用者の入力切り替え操作に対しては、切替操作後に信号判別処理を行うのではなく、事前に取得した各映像入力端子の信号状況を元に、映像入力端子の切替動作を行う。【選択図】  図１
2004274385.tif 000002
【特許請求の範囲】
【請求項１】
映像入力端子を選択する手段と、映像入力端子に入力される映像信号を判別する手段と、各映像入力端子の映像信号の判別した情報をデータとして保持することの出来る手段を有し、映像入力端子切替操作に対し、上記入力判別情報のデータを参照し入力切替動作を行うことを特徴とした映像入力端子切替装置。
【請求項２】
映像信号の判別は、各映像入力端子を逐次巡回し判別することを特徴とする請求項１に記載の映像信号入力切替装置。
【請求項３】
映像入力端子切替がトグル式（順次切替式）の場合において、上記入力判別情報のデータが映像信号無しの映像入力端子に対してはスキップさせることを特徴とする請求項１に記載の映像信号入力切替装置。
【発明の詳細な説明】
【０００１】
【発明の属する技術分野】
本発明は複数の映像入力端子を有するテレビジョン受信機において、各映像入力端子の映像信号の状態に応じて、映像入力端子を切替る動作を行う映像入力端子切替装置に関する。
【０００２】
特に、本発明は映像入力端子切替がトグル式（順次切替式）の場合において、使用者の映像入力端子切替操作に対し、各映像入力端子の映像信号の状態に応じ切替動作を行う映像入力端子切替装置に関する。
【０００３】
【従来の技術】
従来、複数の映像入力を有するテレビジョン受信機の映像入力端子切替装置としては、映像入力端子切替操作に対し各映像入力端子に接続された同期信号検出回路を用い、同期信号の有無を検出し核同期信号が検出されなかった映像入力端子についてその端子をスキップさせる方法が開示されている（特許文献１参照）。また、各映像入力端子に接続検出スイッチを設け、接続が無い映像入力端子についてその端子をスキップさせる方法もある（特許文献２参照）。
【０００４】
【特許文献１】
特開平５−２０７３８６号公報
【特許文献２】
特開２００１−８１１５号公報
【０００５】
【発明が解決しようとする課題】
上記、各映像入力端子に対し同期信号検出回路を用いる場合、映像入力端子の数だけ検出回路が必用であり、回路規模、部品点数、コストの点から見て非効率的であるという課題が有った。また、各映像入力端子の状態を個別に制御用マイコンが取得しており、制御線も映像入力端子の数だけ必要になるという課題が有った。
【０００６】
一方、上記検出スイッチを設ける場合も、映像入力端子の数だけ検出回路が必要となり制御線も映像入力端子の数だけ必要になるという課題が有った。さらにこの場合、映像信号は無くとも接続がある映像入力端子に対しては入力が切り替ってしまうという課題があった。
【０００７】
前述の映像信号は無くとも接続がある端子に切替ることに対して、各映像入力端子に映像信号検出回路にて検出するという手段も記載されているがこれでは上記の各映像入力端子に対し同期信号検出回路を用いる場合と構成的に違いは無く同様の課題を有することになる。
【０００８】
また、映像入力端子が切替った後に映像信号の検出を行い、入力が検出されなかった場合に次の映像入力端子に切替るという動作を行うため、使用者が希望する映像入力端子に切替るまで時間がかかるという課題があった。
【０００９】
本発明は、複数の映像入力端子を有するテレビジョン受信機における映像入力端子切替において、安価で効率よく映像入力端子の切替動作を行う映像入力端子切替装置を提供することを目的とする。
【００１０】
【課題を解決するための手段】
上記課題を解決するために、本発明（請求項１）に係る映像入力端子切替装置は、映像入力端子を選択する手段と、映像入力端子に入力される映像信号を判別する手段と、各映像入力端子の映像信号の判別した情報をデータとして保持することの出来る手段を有し、映像入力端子切替操作に対し、上記入力判別情報のデータを参照し入力切替動作を行うという作用を有する。
【００１１】
また、本発明（請求項２）に係る映像入力端子切替装置は、請求項１に記載の映像信号入力切替装置において、映像信号の判別は、各映像入力端子を逐次巡回し判別するという作用を有する。
【００１２】
また、本発明（請求項３）に係る映像入力端子切替装置は、請求項１に記載の映像信号入力切替装置において、映像入力端子切替がトグル式（順次切替式）の場合において、上記入力判別情報のデータが映像信号無しの映像入力端子に対してはスキップさせるという作用を有する。
【００１３】
【発明の実施の形態】
図１は、本発明の実施の形態による映像入力端子切替装置の構成を説明するための図である。以下、図１を用いて上記映像入力端子切替装置の構成を説明する。
【００１４】
映像入力切替部１は映像入力端子９より選択した映像を出力する。映像入力切替部２は、チューナ６以外の映像入力端子９より選択した映像を出力する。
【００１５】
信号検出部３は映像信号を検出したことを示す信号を出力する。制御用マイクロプロセッサ４は映像入力切替部１及び映像入力切替部２の入力選択の切替制御、信号検出部３からの信号に基づいた情報のメモリ５への書込み、左記書込み情報の読出しを行う。メモリ５はマイクロプロセッサ４からの情報を保存する。  次に、本実施の形態による情報受信装置の動作について説明する。映像入力端子９の各々の入力は、映像入力切替部１及び映像入力切替部２に並列に接続されており、各々の出力選択は制御用マイクロプロセッサ４より行う。
【００１６】
ここで、チューナ６からの入力接続は映像入力切替部１のみにしている。これは使用頻度が高く、特に信号を判別し切替を行う必要が無いためである。
【００１７】
まず信号判別動作について記述する。制御用マイクロプロセッサ４は映像入力切替部２に対し、映像出力８を映像入力１にするよう制御を行う（図２ステップ１）。
【００１８】
その後信号検出部３は信号の判別を行い、信号の有無等の情報を制御用マイクロプロセッサ４に出力する（図２ステップ２）。制御用マイクロプロセッサ４は信号検出部３からの情報を映像入力１の情報としてメモリ５に書き込む（図２ステップ３）。
【００１９】
次に制御用マイクロプロセッサ４は次の映像入力端子の情報を取り込むべく動作を行う、ここで全ての映像入力端子について終了していれば、また初めから（この場合、映像入力１）信号情報を取り込むべく動作する（図２ステップ４）。
【００２０】
このように、各映像入力端子を巡回し情報を得ることで、常に現状の各映像入力端子の映像信号状態を把握することが出来る。
【００２１】
ここで、使用者が入力切替えを行った場合、制御用マイクロプロセッサ４はメモリ５の各映像入力端子の映像信号状態情報を呼び出し、映像入力切替部１での信号切替を信号が有るもののみトグル式（順次切替式）で行うよう制御し、映像出力７を出力する。
【００２２】
以上のように本発明の映像入力端子切替装置によれば、複数の映像入力端子を有するテレビジョン受信機における映像入力端子切替において、検出回路への映像入力信号を切替て判別を行うということで、複数の検出回路を用いることなく判別する。また使用者の入力切り替え操作に対しては、切り替え操作後に信号判別処理を行うのではなく、事前に取得した各映像入力端子の信号状況を元に、映像入力端子の切替動作を行うことが可能となる。
【００２３】
【発明の効果】
以上のように本発明によれば、映像入力端子切替にいて、複数の検出回路を用いずに、映像信号の検出を行うと言うことで、回路規模、部品定数、コストを抑えつつ、映像入力が無い端子をスキップさせるという効果が、使用者の入力切替動作に対しては、事前に取得した各映像入力端子の信号状況を元に行うので効率よく切り替えられるという効果が得られる。
【図面の簡単な説明】
【図１】本発明の実施の形態による映像入力端子切替装置の構成を示すブロック図
【図２】本発明の実施の形態による映像入力端子切替装置の映像信号判別動作のフローを示す図
【符号の説明】
１  映像入力切替部
２  映像入力切替部
３  信号検出部
４  制御用マイクロプロセッサ
５  メモリ
６  チューナ
７  映像出力
８  映像出力
９  映像入力端子
【図１】
2004274385.tif 000003
【図２】
2004274385.tif 000004